(57)【要約】      （修正有）【課題】燃焼器の調整および他の種類の従来の周波数回避技術を必要とせずに、燃焼器の構成要素とタービンの構成要素の間のコヒーレンスを緩和させるためのシステムおよび方法を提供する。【解決手段】ガスタービンエンジン１０においてコヒーレンスを緩和させるために時計方向に旋回された燃焼器缶２５の配列を提供する。時計方向に旋回された燃焼器缶の配列は、円周方向の配列で位置決めされたいくつかの燃焼器缶を含むことができる。燃焼器缶の第１のセットは、第１の配向を有することができ、燃焼器缶の第２のセットは、第２の配向を有することができる。【選択図】図１
2014102064.tif 000002
【特許請求の範囲】
【請求項１】
円周方向の配列で位置決めされた複数の燃焼器缶と、
第１の配向を有する前記複数の燃焼器缶の第１のセットと、
第２の配向を有する前記複数の燃焼器缶の第２のセットとを備える、ガスタービンエンジンにおいてコヒーレンスを緩和させるために時計方向に旋回された燃焼器缶の配列。
【請求項２】
前記複数の燃焼器のそれぞれが、非円形のヘッド端部を備える、請求項１記載の時計方向に旋回された燃焼器缶の配列。
【請求項３】
前記非円形のヘッド端部が、長円形のヘッド端部または楕円形のヘッド端部である、請求項２記載の時計方向に旋回された燃焼器缶の配列。
【請求項４】
前記第１の配向が水平方向の向きである、請求項１記載の時計方向に旋回された燃焼器缶の配列。
【請求項５】
前記第１のセットの燃焼器缶が、前記円周方向の配列の中心点に面する長い面を備える、請求項１記載の時計方向に旋回された燃焼器缶の配列。
【請求項６】
前記第１の配向が垂直方向の向きである、請求項１記載の時計方向に旋回された燃焼器缶の配列。
【請求項７】
前記第１のセットの燃焼器缶が、前記円周方向の配列の中心点に面する短い面を備える、請求項１記載の時計方向に旋回された燃焼器缶の配列。
【請求項８】
前記第１の配向が、前記第２の配向から約９０°時計方向に旋回された位置である、請求項１記載の時計方向に旋回された燃焼器缶の配列。
【請求項９】
前記第１の配向が、その上に時計回りのベーンを備えた複数の燃料ノズルを備える、請求項１記載の時計方向に旋回された燃焼器缶の配列。
【請求項１０】
前記第１の配向が、その上に反時計回りのベーンを備えた複数の燃料ノズルを備える、請求項１記載の時計方向に旋回された燃焼器缶の配列。
【請求項１１】
前記第１の配向が、その上に時計回りのベーンと、反時計回りのベーンを備えた複数の燃料ノズルを備える、請求項１記載の時計方向に旋回された燃焼器缶の配列。
【請求項１２】
前記複数の燃焼器缶が、中心がゼロ（０）でその周りが６つ（６）の構成を有する、請求項１記載の時計方向に旋回された燃焼器缶の配列。
【請求項１３】
前記複数の燃焼器缶が、中心が１つ（１）でその周りが５つ（５）の構成を有する、請求項１記載の時計方向に旋回された燃焼器缶の配列。
【請求項１４】
前記複数の燃焼器缶が一体型の燃焼器缶である、請求項１記載の時計方向に旋回された燃焼器缶の配列。
【請求項１５】
コヒーレンスが緩和された燃焼器缶の配列を作動させる方法であって、
第１のセットの燃焼器缶を第１の配向に位置決めするステップと、
前記第１のセットの燃焼器缶を第１のトーンで作動させるステップと、
第２のセットの燃焼器缶を第２の配向に位置決めするステップと、
前記第２のセットの燃焼器缶を第２のトーンで作動させるステップとを含む方法。
【請求項１６】
円周方向の配列で位置決めされ、各々が非円形のヘッド端部を備える複数の燃焼器缶と、
第１の配向を有する前記複数の燃焼器缶の第１のセットと、
第２の配向を有する前記複数の燃焼器缶の第２のセットとを備える、ガスタービンエンジンにおいてコヒーレンスを緩和させるために時計方向に旋回された燃焼器缶の配列。
【請求項１７】
前記第１の配向が水平方向の向きである、請求項１６記載の時計方向に旋回された燃焼器缶の配列。
【請求項１８】
前記第１のセットの燃焼器缶が、前記円周方向の配列の中心点に面する長い面を備える、請求項１６記載の時計方向に旋回された燃焼器缶の配列。
【請求項１９】
前記第１の配向が垂直方向の向きである、請求項１６記載の時計方向に旋回された燃焼器缶の配列。
【請求項２０】
前記第１のセットの燃焼器が、前記円周方向の配列の中心点に面する短い面を備える、請求項１６記載の時計方向に旋回された燃焼器缶の配列。
【発明の詳細な説明】
【技術分野】
【０００１】
本出願および結果としての特許は一般に、ガスタービンエンジンに関し、より詳細にはコヒーレンスを緩和させ、構成要素の寿命を延ばすために時計方向に旋回された構成で並べられた非円形のヘッド端部の燃焼器に関する。
【背景技術】
【０００２】
多種多様な缶の配列での燃焼器缶は、音響的に連通する場合がある。燃焼ダイナミクスとしても知られる大きな圧力振動が、放熱変動が燃焼器缶の音響トーンと結合する際に生じる可能性がある。このような燃焼器缶の音響トーンの一部は、隣接する容器のトーンと同相の場合があり、その一方で他のトーンは位相がずれている場合がある。このトーンが、ブレードの固有周波数と一致した場合、同相トーンが高温ガス路においてタービンブレードを励振させる可能性がある。同相トーンは、異なる燃焼器缶の不安定性がコヒーレントである場合、すなわち、１つの缶から次の缶への周波数と不安定性の振幅に強力な関係がある場合、特に懸念される可能性がある。このようなコヒーレントな同相トーンがタービン動翼を励振させる可能性があるため、耐久性の問題が生じ、これによりガスタービンエンジンの作動性を制限する恐れがある。
【０００３】
このような潜在的に損傷を与える同相のコヒーレントトーンに対する現行の解決策では、燃焼器の調整に焦点が当てられている。このような調整は、異なる容積と長さの容器を設けることで、典型的な設計の実施限界と比べて動翼の固有周波数に近い同相のコヒーレントトーンの振幅を制限することができる。よってこのような調整技術は、同相のコヒーレントトーンによって全体の作動空間が制限され得ることを意味する可能性がある。さらに燃焼器とタービンの構成要素の間の周波数の回避を実現するには、有意な時間量と手段が必要となり得る。さらに周波数回避の精度は、このようなことを実現するのに用いられる予測能力と同程度に過ぎない可能性がある。
【０００４】
それ故、燃焼器の調整および他の種類の従来の周波数回避技術を必要とせずに、燃焼器の構成要素とタービンの構成要素の間のコヒーレンスを緩和させるためのシステムおよび方法の改善に対する要望が存在する。好ましくはこのようなシステムおよび方法によって全体のコヒーレンスを緩和させることで、システムの効率および出力を損なわず、かつ広範囲の修正を必要とせずに構成要素の寿命を改善させることができる。
【先行技術文献】
【特許文献】
【０００５】
【特許文献１】米国特許出願公開第２０１３／０２５５２６２号公報
【特許文献２】米国特許出願公開第２０１３／０２５５２６６号公報
【発明の概要】
【０００６】
本出願および結果としての特許は、ガスタービンエンジンにおいてコヒーレンスを緩和させるための時計方向に旋回された燃焼器缶の配列を提供することができる。時計方向に旋回された燃焼器缶の配列は、円周方向の配列で位置決めされたいくつかの燃焼器缶を含むことができる。第１のセットの燃焼器缶は、第１の配向を有することができ、第２のセットの燃焼器缶は、第２の配向を有することができる。
【０００７】
本出願および結果としての特許はさらに、コヒーレンスが緩和された燃焼器缶の配列を作動させる方法を提供することができる。方法は、第１のセットの燃焼器缶を第１の配向に位置決めするステップと、第１のセットの燃焼器缶を第１のトーンで作動させるステップと、第２のセットの燃焼器缶を第２の配向に位置決めするステップと、第２のセットの燃焼器缶を第２のトーンで作動させるステップとを含む。
【０００８】
本出願および結果としての特許は、ガスタービンエンジンにおいてコヒーレンスを緩和させるための時計方向に旋回された燃焼器缶の配列を提供することができる。時計方向に旋回された燃焼器缶の配列は、円周方向の配列で位置決めされたいくつかの燃焼器缶を含むことができる。各々の燃焼器缶は、非円形のヘッド端部を含むことができる。第１のセットの燃焼器缶は、第１の配向を有することができ、第２のセットの燃焼器缶は、第２の配向を有することができる。
【０００９】
本出願および結果としての特許のこれらのおよび他の特徴および改善点は、以下の詳細な記載を複数の図面と添付の特許請求の範囲と併せて精査することにより当業者には明らかになるであろう。
【図面の簡単な説明】
【００１０】
【図１】圧縮機、燃焼器、タービンおよび負荷を備えたガスタービンエンジンの概略図である。
【図２】図１のガスタービンエンジンと共に使用され得る燃焼器の概略図である。
【図３】本明細書に記載され得る非円形のヘッド端部を備えた燃焼器の部分斜視図である。
【図４】図３の燃焼器の非円形のヘッド端部の部分断面図である。
【図５】燃焼器缶の配列の概略図である。
【図６】燃焼器缶の配列の代替の一実施形態の概略図である。
【図７】本明細書に記載され得る時計方向に旋回された燃焼器缶の配列の概略図である。
【図８】本明細書に記載され得る時計方向に旋回された燃焼器缶の配列の代替の一実施形態の概略図である。
【図９】時計回りのスウォズルベーンを備えた燃料ノズルの部分斜視図である。
【図１０】反時計回りのスウォズルベーンを備えた燃料ノズルの部分斜視図である。
【図１１】時計回りのスウォズルベーンによる中心がゼロ（０）でその周りが６つ（６）の構成の燃料ノズルを備える燃焼器の概略図である。
【図１２】時計回りのスウォズルベーンによる中心が１つ（１）でその周りが５つ（５）の構成の燃料ノズルを備える燃焼器の概略図である。
【図１３】時計回りのスウォズルベーンと、反時計回りのスウォズルベーンとを交互に有する燃料ノズルによる中心がゼロ（０）でその周りが６つ（６）の構成の燃料ノズルを備える燃焼器の概略図である。
【図１４】中心の燃料ノズルが反時計回りのスウォズルベーンを有し、外側の燃料ノズルが時計回りのスウォズルベーンを有する、中心が１つ（１）でその周りが５つ（５）の構成の燃料ノズルを備える燃焼器の概略図である。
【図１５】時計回りのスウォズルベーンによる中心が１つ（１）でその周りが５つ（５）の構成の燃料ノズルを備えた円周方向の配列の燃焼器の概略図である。
【図１６】中心の燃料ノズルの一部が反時計回りの配向を有する、中心が１つ（１）でその周りが５つ（５）の構成の円周方向の配列の燃焼器の概略図である。
【図１７】燃焼器の一部が、時計回りのスウォズルベーンと、反時計回りのスウォズルベーンを交互に備える燃料ノズルを有する中心がゼロ（０）でその周りが６つ（６）の構成の円周方向の配列の燃焼器の概略図である。
【発明を実施するための形態】
【００１１】
ここで図面を参照すると、図中ではいくつかの図面を通して同じ数字は同じ要素を指しており、図１は、本明細書で使用され得るガスタービンエンジン１０の概略図を示している。ガスタービンエンジン１０は、圧縮機１５を含むことができる。圧縮機１５は、流入する空気の流れ２０を圧縮する。圧縮機１５は、圧縮された空気の流れ２０をいくつかの燃焼器缶２５に送る。燃焼器缶２５は、圧縮された空気の流れ２０を加圧された燃料の流れ３０と混合し、この混合物を点火させて高温の燃焼ガス３５の流れを形成する。単一の燃焼器缶２５のみが示されているが、ガスタービンエンジン１０は、あらゆる数の燃焼器缶２５を含む可能性がある。高温燃焼ガスの流れ３５は次に、タービン４０へと送られる。高温燃焼ガス３５の流れがタービン４０を駆動させることで、機械的な仕事を生み出す。タービン４０において生成された機械的な仕事は、シャフト４５を介して圧縮機１５を駆動し、発電機などの外部負荷５０を駆動する。
【００１２】
ガスタービンエンジン１０は、天然ガス、多様な種類の合成ガスおよび／または他の種類の燃料を使用することができる。ガスタービンエンジン１０は、 ニューヨーク州、スケネクタディのＧｅｎｅｒａｌ  Ｅｌｅｃｔｒｉｃ  Ｃｏｍｐａｎｙによって提供されるいくつかの異なるガスタービンエンジンのいずれか１つであってよく、これに限定するものではないが７または９列のヘビーデューティーガスタービンエンジンなどが含まれる。ガスタービンエンジン１０は、種々の構成を有することができ、他の種類の構成要素を使用する場合もある。他の種類のガスタービンエンジンが本明細書で使用される場合もある。多様なガスタービンエンジン、他の種類のタービンおよび他の種類の発電設備が、本明細書で使用される場合がある。
【００１３】
図２は、ガスタービンエンジン１０と共に利用され得る燃焼器缶２５の一例を示している。燃焼器缶２５は、ヘッド端部６０を含むことができ、いくつかの燃料ノズル６５が端部カバー７０と、円形キャップ７５の間に位置決めされている。トランジションピース８０とライナ８２を互いに装着することができ、これらは円形キャップ７５からタービン４０の第１の段のノズルベーン９０付近の尾翼端部８５まで延在することができる。インピンジメントスリーブ９５が、トランジションピース８０とライナ８２を取り囲むことで、冷却用の空気の流れをそこに供給することができる。本明細書に記載される燃焼器缶２５は、単なる例を目的としている。他の構成要素および他の構成を有する燃焼器缶が本明細書で使用される場合もある。
【００１４】
図３および図４は、本明細書に記載され得る燃焼器缶１００の一部を示している。上記のように、燃焼器缶１００は、一体型の燃焼器缶１１０であり、トランジションピース８０、ライナ８２および第１の段のノズルベーン９０が一体化された構造であってよい。他のタイプの燃焼器１００が、他の構成要素および他の構造と共に本明細書で使用される場合もある。
【００１５】
燃焼器缶１１０は、ヘッド端部１２０を含むことができる。いくつかの燃料ノズル１３０が、端部カバー（図示せず）からキャップ１４０まで延在することができる。燃焼器缶１１０はまた、一体化された部品１５０として構成される場合もある。上記に記載されるように、一体型の部品１５０は、ライナ、トランジションピースおよび第１の段のノズルを含むことができる。一体型の部品１５０は、ヘッド端部１２０から、タービン４０などの第１の段の動翼ブレード１７０の周りの尾翼端部１６０まで延在することができる。インピンジメントスリーブ１８０が一体型の部品１５０を囲むことで、圧縮機１５または他の場所からそこに冷却空気の流れ２０を供給することができる。他の構成要素および他の構成もまた本明細書で使用される場合がある。
【００１６】
ヘッド端部１２０は、実質的に非円形構造１９０を有する可能性がある。非円形構造１９０はこれに限定するものではないが任意の特定の形状である。ヘッド端部１２０は、長円形のヘッド端部２００、楕円形のヘッド端部２１０、または任意のタイプの実質的に非円形のヘッド端部２２０であってよい。同様にキャップ１４０もまた、非円形構造１９０を有することができる。結果として、キャップ１４０は長円形のキャップ２３０、楕円形のキャップ２４０または任意のタイプの実質的に非円形のキャップ２５０であってよい。同じように、ヘッド端部１２０の周りの一体型の部品１５０のトランジションピース１５５も、他の形状に移行しないうちは非円形構造１９０を有することができる。結果として長円のトランジションピース２６０、楕円形のトランジションピース２７０または任意のタイプの実質的に非円形のトランジションピース２８０を本明細書で使用することができる。ヘッド端部１２０を備えた燃焼器缶１１０が非円形構造１９０を有することにより、より低い全体の圧力損失でタービン４０の第１の段の動翼ブレード１７０への高温燃焼ガス３５の流れのより効率的な移行を促進させることができる。他の構成要素および他の構成もまた本明細書で使用される場合がある。
【００１７】
図５は、燃焼器缶の配列２９０の一例を示している。燃焼器缶の配列２９０は、任意の数の燃焼器缶１１０を含むことができる。各々の燃焼器缶１１０は、上記に記載したものなどの非円形構造１９０を有するヘッド端部１２０を有することができる。燃焼器缶１１０は、円周方向の配列３００で位置決めすることができる。この例では、燃焼器缶の配列２９０の燃焼器缶１１０は、水平方向の位置３１０を有することができ、ここでは非円形構造１９０の長い面３２０が、円周方向の配列３００の中心点３３０に面する。図６は、燃焼器缶の配列３４０の別の一例を示している。この例では燃焼器缶１１０は、ほぼ垂直方向の位置３５０を有することができ、ここでは非円形構造の短い面が中心点３３０に面している。他の構成要素および他の構造も本明細書で使用される場合がある。
【００１８】
図７は、本明細書に記載され得る時計方向に旋回された燃焼器缶の配列３７０の一例を示している。この例では、時計方向に旋回された燃焼器缶の配列３７０は、時計方向に旋回された燃焼器缶３８０の第１のセット３７５を第１の配向３８５で含むことができる。時計方向に旋回された燃焼器缶３８０は、図５の燃焼器缶の配列２９０と比べておよそ９０度（９０°）「時計方向に旋回される」または回転され、元々のまたは第２の配向４００の燃焼器缶の第２のセット３９０の場合、図６の燃焼器缶の配列３４０と比べておよそ９０度（９０°）「時計方向に旋回される」または回転されてよい。６つ（６）の時計方向に旋回された燃焼器缶３２０が示されているが、任意の数を任意の角度で使用することができる。
【００１９】
例えば図８は、図７の時計方向に旋回された燃焼器缶の配列３７０のものとは反対であり得る構成を備えた時計方向に旋回された燃焼器缶の配列４１０を示している。この例では、１０個（１０）の燃焼器缶１１０が、第１の配向３８５で時計方向に旋回された燃焼器缶３８０であってよく、残りの６つ（６）の燃焼器缶１１０は、その元々のまたは第２の配向４００であってよい。構成要素１１０の任意の組み合わせを本明細書で使用することができる。他の構成要素および他の構成も本明細書で使用される場合がある。
【００２０】
使用中、時計方向に旋回された燃焼器缶３８０は、燃焼器のトーンとタービン動翼との相互作用を緩和させることができる。コヒーレントを緩和させるために異なる容積と長さの燃焼器缶が必要とされ得る従来の燃焼器調整手法とは対照的に、本明細書に記載される時計方向に旋回された燃焼器の配列は、燃焼器缶１１０の時計方向の旋回を変えながら燃焼器の寸法規制は均一に維持している。隣接する燃焼器容器１１０に対する円周方向の配向を変えることによって、個々の燃焼器缶の相対的な火炎の特徴を効果的に変えることでコヒーレントを緩和させることができる。
【００２１】
図９および図１０は、本明細書に記載される燃焼器缶と共に使用され得る燃料ノズル１３０の例を示している。燃料ノズル１３０は、いくつかのスウォズルベーン４２０をその上に有することができる。スウォズル（スワール＋ノズル）ベーン４２０は、いくつかの延長ベーンの周りに位置決めされたいくつかの燃料ポートを有し、燃料の流れ３０を空気の流れ２０へと噴射するようにして優れた予混合を促進させることができる。図９は、いくつかの時計回りのスウォズルベーン４３０を示している。図１０は、いくつかの反時計回りのスウォズルベーン４４０を示している。よって時計回りまたは反時計回りのベーン４３０、４４０は、その中を通り抜ける空気の流れ２０に対してその方向を与える。スウォズルベーン４２０は任意のサイズ、形状または構成を有することができる。同様に配向されたスウォズルベーンもまた、本明細書で使用される場合がある。同じように微小混合機が使用される場合もある。
【００２２】
図１１は、時計回りのスウォズルベーン４３０による中心がゼロ（０）でその周りが６つ（６）の構成４６０で６つ（６）の燃料ノズル１３０を備えた燃焼器缶４５０を示している。図１２は、中心が１つ（１）でその周りが５つ（５）の構成４８０を備えた燃焼器缶４７０を示している。このような例では、燃料ノズル１３０の全てが、時計回りのスウォズルベーン４３０を有することができる。図１３は、中心がゼロ（０）でその周りが６つ（６）の構成４６０を備えた燃焼器缶４９０を示している。この例では、燃料ノズル１３０は、反時計回りのスウォズルベーン４４０と、時計回りのスウォズルベーン４３０とを互い違いに有することができる。図１４は、中心が１つ（１）でその周りが５つ（５）の構成４８０を備える燃焼器缶５００を示している。この例では、中心の燃料ノズル５１０が、反時計回りのスウォズルベーン４４０を有する一方で、いくつかの外側の燃料ノズル５２０は、時計回りのスウォズルベーン４３０を有することができる。本明細書に記載される燃焼器におけるいずれの燃料ノズル１３０も、任意の数または位置で時計回りの構成４３０または反時計回りの構成４４０を有することができる。
【００２３】
同じように、燃焼器缶の全体の配列も同様に配向することができる。図１５は、時計回りの構成４３０を備えた燃料ノズル１３０を有する中心が１つ（１）でその周りが５つ（５）の構成４８０でいくつかの燃焼器缶５４０を備えた円周方向の配列５３０を示している。図１６は、いくつかの中心の燃料ノズル５１０が反時計回りの配向４４０を有する一方で、外側の燃料ノズル５２０は時計回りの配向４３０を有する、中心が１つ（１）でその周りが５つ（５）の配向４８０を有するいくつかの燃焼器缶５６０を備えた円周方向の配列５５０を示している。図１７は、中心がゼロ（０）でその周りが６つ（６）の配向４６０でのいくつかの燃焼器缶５８０を備えた円周方向の配列５７０を示している。この例では、特定の燃焼器缶５００の燃料ノズル１３０が、時計回りの構成４３０を有する一方で、他の燃料ノズルは、反時計回りの構成４４０を有することができる。よって円周方向の配列は、任意の数、位置または方向の任意の構造および任意のタイプの燃料ノズルとスウォズルベーンを備えた燃焼器缶を有することができる。
【００２４】
使用中、スウォズルベーン４２０は、個々の燃焼器または円周方向の配列のいずれかにおける火炎特徴、火炎同士の相互作用および対応する力学的な挙動を変えることができる。具体的には、スウォズルベーンまたは他のタイプのベーンの方向が変えられる一方で、残りのハードウェア構成は、ほぼ変わらないままの場合がある。したがって異なる容積と長さを有する燃焼器に対してスウォズルベーンおよび同様のものを利用することは代替手段であり、コヒーレントを壊すためのより費用のかからない手法であり得る。
【００２５】
上記は、本出願および結果としての特許の特定の実施形態のみに関連することが明らかであるべきである。以下の特許請求の範囲およびその均等物によって定義される本発明の一般的な精神および範囲から逸脱することなく、当業者によって多くの変更および修正を本明細書において行うことができる。
【符号の説明】
【００２６】
１０  ガスタービンエンジン
１５  圧縮機
２０  空気の流れ
２５  燃焼器缶
３０  燃料の流れ
３５  高温燃焼ガス
４０  タービン
４５  シャフト
５０  外部負荷
６０  ヘッド端部
６５  燃料ノズル
７０  端部カバー
７５  円形キャップ
８０  トランジションピース
８２  ライナ
８５  尾翼端部
９０  ノズルベーン
１００、１１０  燃焼器缶
１２０  ヘッド端部
１３０  燃料ノズル
１４０  キャップ
１５０  一体化された部品
１５５  トランジションピース
１６０  尾翼端部
１７０  動翼ブレード
１８０  インピンジメントスリーブ
１９０  非円形構造
２００  長円のヘッド端部
２１０  楕円形のヘッド端部
２２０  実質的に非円形のヘッド端部
２３０  長円形のキャップ
２４０  楕円形のキャップ
２５０  実質的に非円形のキャップ
２６０  長円のトランジションピース
２７０  楕円形のトランジションピース
２８０  実質的に非円形のトランジションピース
２９０  燃焼器缶の配列
３００  円周方向の配列
３１０  水平方向の位置
３２０  長い面
３３０  中心点
３５０  ほぼ垂直方向の位置
３６０  短い面
３７０  時計方向に旋回された燃焼器缶の配列
３７５  第１のセットの燃焼器缶
３８０  第１の配向で時計方向に旋回された燃焼器缶
３８５  第１の配向
３９０  第２のセットの燃焼器缶
４００  第２の配向
４１０  反対の構成の時計方向に旋回された燃焼器缶の配列
４２０  スウォズルベーン
４３０  時計回りのスウォズルベーン
４４０  反時計回りのスウォズルベーン
４５０  燃焼器缶
４６０  中心がゼロ（０）でその周りが６つ（６）の構成
４７０  燃焼器缶
４８０  中心が１つ（１）でその周りが５つ（５）の構成
４９０  燃焼器缶
５００  燃焼器缶
５１０  中心の燃料ノズル
５２０  外側の燃料ノズル
５３０  中心が１つ（１）でその周りが５つ（５）の構成での円周方向の燃焼器缶の配列
５４０  燃焼器缶
５５０  中心が１つ（１）でその周りが５つ（５）の構成での円周方向の燃焼器缶の配列
５６０  中心が１つ（１）でその周りが５つ（５）の配向の燃焼器缶
５７０  中心がゼロ（０）でその周りが６つ（６）の構成での円周方向の燃焼器缶の配列
５８０  中心がゼロ（０）でその周りが６つ（６）の配向の燃焼器缶
【図１】
2014102064.tif 000003
【図２】
2014102064.tif 000004
【図３】
2014102064.tif 000005
【図４】
2014102064.tif 000006
【図５】
2014102064.tif 000007
【図６】
2014102064.tif 000008
【図７】
2014102064.tif 000009
【図８】
2014102064.tif 000010
【図９】
2014102064.tif 000011
【図１０】
2014102064.tif 000012
【図１１】
2014102064.tif 000013
【図１２】
2014102064.tif 000014
【図１３】
2014102064.tif 000015
【図１４】
2014102064.tif 000016
【図１５】
2014102064.tif 000017
【図１６】
2014102064.tif 000018
【図１７】
2014102064.tif 000019
【外国語明細書】
2014102064000001.pdf